(57)【特許請求の範囲】
【請求項１】
収納商品の販売価格を記憶する販売価格記憶手段と、貨幣投入毎に投入された投入貨幣金額と釣銭として払出すことができる金種別払出可能枚数を出力する貨幣識別手段と、前記販売価格記憶手段に記憶している販売価格と前記貨幣識別手段から出力された投入貨幣金額から収納商品を１個販売した場合の釣銭金額を演算する釣銭演算手段と、１回の釣銭返却で１００円硬貨の返却許可枚数を予め記憶する返却許可枚数記憶手段と、前記返却許可枚数記憶手段の返却許可枚数を状況に応じて変更可能な返却許可枚数設定手段と、前記返却許可枚数記憶手段に記憶された返却許可枚数から返却許可金額に変換する返却許可金額演算手段とを有する主制御部とからなり、前記主制御部は、貨幣が投入されると、前記釣銭演算手段にて演算した釣銭金額と前記返却許可金額演算手段にて１００円硬貨の返却許可枚数から演算した返却許可金額を比較し、釣銭金額が返却許可金額を超える場合、その販売価格の商品を販売不可と判定することを特徴とする自動販売機の制御装置。
【請求項２】
収納商品の販売価格を記憶する販売価格記憶手段と、貨幣投入毎に投入された投入貨幣金額と釣銭として払出すことができる金種別払出可能枚数を出力する貨幣識別手段と、前記販売価格記憶手段に記憶している販売価格と前記貨幣識別手段から出力された投入貨幣金額から収納商品を１個販売した場合の釣銭金額を演算する釣銭演算手段と、前記釣銭演算手段にて演算された釣銭金額から前記貨幣識別手段から出力された５００円硬貨の払出可能枚数分の金額を差引いた釣銭金額ａを演算する第二の釣銭演算手段と、１回の釣銭返却で１００円硬貨の返却許可枚数を予め記憶する返却許可枚数記憶手段と、前記返却許可枚数記憶手段の返却許可枚数を状況に応じて変更可能な返却許可枚数設定手段と、前記返却許可枚数記憶手段に記憶された返却許可枚数から返却許可金額に変換する返却許可金額演算手段とを有する主制御部とからなり、前記主制御部は、貨幣が投入されると、前記第二の釣銭演算手段にて釣銭金額から５００円硬貨で返却できる金額を差引き演算した釣銭金額ａと前記返却許可金額演算手段にて１００円硬貨の返却許可枚数から演算した返却許可金額を比較し、釣銭金額ａが返却許可金額を超える場合、その販売価格の商品を販売不可と判定することを特徴とする自動販売機の制御装置。
【発明の詳細な説明】
【０００１】
【発明の属する技術分野】
本発明は販売価格の異なる複数個の商品を収納し、これらの商品を販売する自動販売機において、商品を１個販売する場合の釣銭金額と貨幣識別手段の釣銭払出し可能金額によりその商品の販売可否判定を行う自動販売時機の制御装置に関するものである。
【０００２】
【従来の技術】
近年、自動販売機の制御装置は、２０００円札の発行にともない２０００円札が使用された場合、１０００円札使用時と比べ１００円硬貨の釣銭を多く払出し、１００円硬貨の釣銭切れが発生する頻度が高くなっており、１回の釣銭返却における１００円硬貨の払出しを制限する機能が求められてきている。
【０００３】
従来の自動販売機の制御装置としては特開平９−６９１７９号公報に示されているものがある。
【０００４】
以下、図面を参照しながら上記従来の自動販売機の制御装置を説明する。
【０００５】
図７は、従来の自動販売機の制御装置の機能ブロック図である。図８は、従来の自動販売機の制御装置の動作を示すフローチャートである。
【０００６】
図７において、１は貨幣投入毎に投入された投入貨幣金額と釣銭として払出すことができる金種別払出可能枚数を出力する貨幣識別手段、２は商品の選択を行う商品選択手段、３は貨幣識別手段１、商品選択手段２に接続された制御部である。
【０００７】
以上のように構成された自動販売機の制御装置について、以下その動作を図８のフローチャートを参照して説明する。
【０００８】
まず、ステップＳ０１で販売価格以上の硬貨が投入され、ステップＳ０２で商品選択手段２が操作された場合、ステップＳ０３で制御部３が選択された商品が売切れでなく、釣銭返却可能と判定すると、ステップＳ０４で商品を販売し釣銭の返却を行う。
【０００９】
【発明が解決しようとする課題】
しかしながら、上記従来の構成は、釣銭返却時の返却金額に制限を設けておらず、２０００円札が使用された場合、１０００円札使用時と比べ、１回の釣銭返却における１００円硬貨の払出しが多くなり、１００円硬貨の釣銭切れが発生する頻度が高くなり、釣銭切れによる販売機会を逃し売上げが減収してしまう欠点があった。
【００１０】
本発明は従来の課題を解決するもので、釣銭金額が予め設定されている１００円硬貨の返却許可枚数を超える場合、その商品を販売不可と判定し、返却許可枚数以上の１００円硬貨の釣銭払出しを防止することができる自動販売機の制御装置を提供することを目的とする。
【００１１】
本発明の他の目的は、釣銭金額から５００円硬貨で返却できる金額を差引いた釣銭金額ａが１００円硬貨の返却許可枚数を超える場合、その商品を販売不可と判定し、返却許可枚数以上の１００円硬貨の釣銭払出しを防止することができる自動販売機の制御装置を提供することである。
【００１２】
本発明の他の目的は、１００円硬貨の返却許可枚数を使用者が自動販売機の運用状況に応じて容易に変更することができる自動販売機の制御装置を提供することである。
【００１３】
【課題を解決するための手段】
本発明の請求項１に記載の発明は、収納商品の販売価格を記憶する販売価格記憶手段と、貨幣投入毎に投入された投入貨幣金額と釣銭として払出すことができる金種別払出可能枚数を出力する貨幣識別手段と、前記販売価格記憶手段に記憶している販売価格と前記貨幣識別手段から出力された投入貨幣金額から収納商品を１個販売した場合の釣銭金額を演算する釣銭演算手段と、１回の釣銭返却で１００円硬貨の返却許可枚数を予め記憶する返却許可枚数記憶手段と、前記返却許可枚数記憶手段の返却許可枚数を状況に応じて変更可能な返却許可枚数設定手段と、前記返却許可枚数記憶手段に記憶された返却許可枚数から返却許可金額に変換する返却許可金額演算手段とを有する主制御部とからなり、前記主制御部は、貨幣が投入されると、前記釣銭演算手段にて演算した釣銭金額と前記返却許可金額演算手段にて１００円硬貨の返却許可枚数から演算した返却許可金額を比較し、釣銭金額が返却許可金額を超える場合、その販売価格の商品を販売不可と判定するようにしたものであり、返却許可枚数以上の１００円硬貨の釣銭払出しを防止する作用を有する。
【００１４】
請求項２に記載の発明は、収納商品の販売価格を記憶する販売価格記憶手段と、貨幣投入毎に投入された投入貨幣金額と釣銭として払出すことができる金種別払出可能枚数を出力する貨幣識別手段と、前記販売価格記憶手段に記憶している販売価格と前記貨幣識別手段から出力された投入貨幣金額から収納商品を１個販売した場合の釣銭金額を演算する釣銭演算手段と、前記釣銭演算手段にて演算された釣銭金額から前記貨幣識別手段から出力された５００円硬貨の払出可能枚数分の金額を差引いた釣銭金額ａを演算する第二の釣銭演算手段と、１回の釣銭返却で１００円硬貨の返却許可枚数を予め記憶する返却許可枚数記憶手段と、前記返却許可枚数記憶手段の返却許可枚数を状況に応じて変更可能な返却許可枚数設定手段と、前記返却許可枚数記憶手段に記憶された返却許可枚数から返却許可金額に変換する返却許可金額演算手段とを有する主制御部とからなり、前記主制御部は、貨幣が投入されると、前記第二の釣銭演算手段にて釣銭金額から５００円硬貨で返却できる金額を差引き演算した釣銭金額ａと前記返却許可金額演算手段にて１００円硬貨の返却許可枚数から演算した返却許可金額を比較し、釣銭金額ａが返却許可金額を超える場合、その販売価格の商品を販売不可と判定するようにしたものであり、返却許可枚数以上の１００円硬貨の釣銭払出しを防止する作用を有する。
【００１５】
請求項３に記載の発明は、請求項１または２に記載の発明に、さらに、１回の釣銭返却で１００円硬貨の返却許可枚数を変更する返却許可枚数設定手段を備えたものであり、主制御部は、前記返却許可枚数設定手段により返却許可枚数が変更された場合、返却許可枚数記憶手段に記憶された返却許可枚数を変更された枚数に更新するようにしたものであり、予め記憶している１００円硬貨の返却許可枚数を使用者が運用状況に応じて容易に変更することができる作用を有する。
【００１６】
【発明の実施の形態】
以下、本発明による自動販売機の制御装置の実施の形態について、図面を参照しながら説明する。なお、従来と同一構成については、同一符号を付して詳細な説明を省略する。
【００１７】
（実施の形態１）
図１は、本発明の実施の形態１による自動販売機の制御装置の機能ブロック図である。図２は、同実施の形態の動作を示すフローチャートである。
【００１８】
図１において、４は収納商品の販売価格を記憶する販売価格記憶手段、５は販売価格記憶手段４に記憶している販売価格と貨幣識別手段１から出力された投入貨幣金額から収納商品を１個販売した場合の釣銭金額を演算する釣銭演算手段、６は１回の釣銭返却で１００円硬貨の返却許可枚数を予め記憶する返却許可枚数記憶手段、７は返却許可枚数記憶手段６に記憶された返却許可枚数から返却許可金額に変換する返却許可金額演算手段、８は貨幣識別手段１と接続され販売価格記憶手段４，釣銭演算手段５，返却許可枚数記憶手段６，返却許可金額演算手段７を備えた主制御部である。
【００１９】
以上のように構成された自動販売機の制御装置について、以下その動作を図２のフローチャートを参照して説明する。
【００２０】
まず、ステップＳ１１で貨幣が投入されると、ステップＳ１２で返却許可金額演算手段７にて返却許可枚数記憶手段６に記憶している１００円硬貨の返却許可枚数から返却許可金額を演算する。次に、ステップＳ１３で釣銭演算手段５にて釣銭金額を演算し、ステップＳ１４で釣銭金額と返却許可金額の比較を行い、釣銭金額が返却許可金額を超える場合、ステップＳ１５でその商品を販売不可と判定する。以下、ステップＳ１６で主制御部８は販売価格記憶手段４に記憶されている全ての価格について上記動作（ステップＳ１３〜１５）を行う。
【００２１】
以上のように本実施の形態の自動販売機の制御装置は、貨幣が投入されると、釣銭演算手段５にて演算した釣銭金額と返却許可金額演算手段７にて１００円硬貨の返却許可枚数から演算した返却許可金額を比較し、釣銭金額が返却許可金額を超える場合、その販売価格の商品を販売不可と判定するようにしたものであり、返却許可枚数以上の１００円硬貨の釣銭払出しを防止することができる。
【００２２】
（実施の形態２）
図３は、本発明の実施の形態２による自動販売機の制御装置の機能ブロック図である。図４は、同実施の形態の動作を示すフローチャートである。
【００２３】
図３において、４は収納商品の販売価格を記憶する販売価格記憶手段、５は販売価格記憶手段４に記憶している販売価格と貨幣識別手段１から出力された投入貨幣金額から収納商品を１個販売した場合の釣銭金額を演算する釣銭演算手段、９は釣銭演算手段５にて演算された釣銭金額から貨幣識別手段１から出力された５００円硬貨の払出可能枚数分の金額を差引いた釣銭金額ａを演算する第二の釣銭演算手段、６は１回の釣銭返却で１００円硬貨の返却許可枚数を予め記憶する返却許可枚数記憶手段、７は返却許可枚数記憶手段６に記憶された返却許可枚数から返却許可金額に変換する返却許可金額演算手段、８ａは貨幣識別手段１と接続され販売価格記憶手段４，釣銭演算手段５，返却許可枚数記憶手段６，返却許可金額演算手段７，第二の釣銭演算手段９を備えた主制御部である。
【００２４】
以上のように構成された自動販売機の制御装置について、以下その動作を図４のフローチャートを参照して説明する。
【００２５】
まず、ステップＳ２１で貨幣が投入されると、ステップＳ２２で返却許可金額演算手段７にて返却許可枚数記憶手段６に記憶している１００円硬貨の返却許可枚数から返却許可金額を演算する。次に、ステップＳ２３で釣銭演算手段５にて釣銭金額を演算し、ステップＳ２４で第二の釣銭演算手段９にて釣銭演算手段５にて演算された釣銭金額から貨幣識別手段１から出力された５００円硬貨の払出可能枚数分の金額を差引いた釣銭金額ａを演算する。次に、ステップＳ２５で釣銭金額ａと返却許可金額の比較を行い、釣銭金額ａが返却許可金額を超える場合、ステップＳ２６でその商品を販売不可と判定する。以下、ステップＳ２７で主制御部８ａは販売価格記憶手段４に記憶されている全ての価格について上記動作（ステップＳ２３〜２６）を行う。
【００２６】
以上のように本実施の形態の自動販売機の制御装置は、貨幣が投入されると、第二の釣銭演算手段９にて釣銭金額から５００円硬貨で返却できる金額を差引き演算した釣銭金額ａと返却許可金額演算手段にて１００円硬貨の返却許可枚数から演算した返却許可金額を比較し、釣銭金額ａが返却許可金額を超える場合、その販売価格の商品を販売不可と判定するようにしたものであり、返却許可枚数以上の１００円硬貨の釣銭払出しを防止することができる。
【００２７】
（実施の形態３）
図５は、本発明の実施の形態３による自動販売機の制御装置の機能ブロック図である。図６は、同実施の形態の動作を示すフローチャートである。
【００２８】
図５において、１０は１回の釣銭返却で１００円硬貨の返却許可枚数を変更する返却許可枚数設定手段である。
【００２９】
本実施の形態は、実施の形態１または２による自動販売機の制御装置に、さらに返却許可枚数設定手段１０を設けたものである。
【００３０】
以上のように構成された自動販売機の制御装置について、以下その動作を図４のフローチャートを参照して説明する。
【００３１】
まず、ステップＳ３１で返却許可枚数入力手段１０にて返却許可枚数が入力されると、ステップＳ３２で返却許可枚数記憶手段６に記憶された返却許可枚数を入力された枚数に更新する。
【００３２】
以上のように本実施の形態の自動販売機の制御装置は、返却許可枚数設定手段１０により返却許可枚数が変更された場合、返却許可枚数記憶手段６に記憶された返却許可枚数を入力された枚数に更新するようにしたものであり、１００円硬貨の返却許可枚数を使用者が自動販売機の運用状況に応じて容易に変更することができる。
【００３３】
【発明の効果】
以上説明したように請求項１に記載の発明は、貨幣が投入されると、釣銭演算手段にて演算した釣銭金額と返却許可金額演算手段にて１００円硬貨の返却許可枚数から演算した返却許可金額を比較し、釣銭金額が返却許可金額を超える場合、その販売価格の商品を販売不可と判定し、返却許可枚数以上の１００円硬貨の釣銭払出しを防止するようにしたことにより、２０００円札等の高額紙幣による販売でも、１回の釣銭返却における１００円硬貨の払出しは返却許可枚数以下となり、１００円硬貨の釣銭切れが発生する頻度を抑制でき、釣銭切れによる販売機会を逃すことなく販売することができる。また、１００円硬貨の返却許可枚数を使用者が自動販売機の運用状況に応じて容易に変更することができる。
【００３４】
また、請求項２に記載の発明は、貨幣が投入されると、第二の釣銭演算手段にて釣銭金額から５００円硬貨で返却できる金額を差引き演算した釣銭金額ａと返却許可金額演算手段にて１００円硬貨の返却許可枚数から演算した返却許可金額を比較し、釣銭金額ａが返却許可金額を超える場合、その販売価格の商品を販売不可と判定し、返却許可枚数以上の１００円硬貨の釣銭払出を防止するようにしたことにより、２０００円札等の高額紙幣による販売でも、１回の釣銭返却における１００円硬貨の払出しは返却許可枚数以下となり、１００円硬貨の釣銭切れが発生する頻度を抑制でき、釣銭切れによる販売機会を逃すことなく販売することができる。
【図面の簡単な説明】
【図１】本発明による自動販売機の制御装置の実施の形態１の機能ブロック図
【図２】同実施例の自動販売機の制御装置の動作を示すフローチャート
【図３】本発明による自動販売機の制御装置の実施の形態２の機能ブロック図
【図４】同実施例の自動販売機の制御装置の動作を示すフローチャート
【図５】本発明による自動販売機の制御装置の実施の形態３の機能ブロック図
【図６】同実施例の自動販売機の制御装置の動作を示すフローチャート
【図７】従来の自動販売機の制御装置の機能ブロック図
【図８】従来の自動販売機の制御装置の動作を示すフローチャート
【符号の説明】
４  販売価格記憶手段
５  釣銭演算手段
６  返却許可枚数記憶手段
７  返却許可金額演算手段
８，８ａ  主制御部
９  第二の釣銭演算手段
１０  返却許可枚数設定手段
【図１】
0004288887.tif 000002
【図２】
0004288887.tif 000003
【図３】
0004288887.tif 000004
【図４】
0004288887.tif 000005
【図５】
0004288887.tif 000006
【図６】
0004288887.tif 000007
【図７】
0004288887.tif 000008
【図８】
0004288887.tif 000009